【手続補正書】
【提出日】平成28年1月28日(2016.1.28)
【手続補正１】
【補正対象書類名】特許請求の範囲
【補正対象項目名】全文
【補正方法】変更
【補正の内容】
【特許請求の範囲】
【請求項１】
サーバ装置及び表示装置を備える情報表示システムであって、
前記サーバ装置は、前記表示装置に表示させる線分を示す線分情報を送信する第１の線分情報送信部を備え、
前記表示装置は、
コンテンツを表示するための、マークアップ言語により記述されたデータであるコンテンツデータを取得するコンテンツ取得部と、
線分を描画する描画領域を指定する描画領域要素を、前記コンテンツ取得部で取得されたコンテンツデータに挿入する描画領域挿入部と、
線分を描画するコマンドを含む描画手段要素を、前記描画領域挿入部で前記描画領域要素が挿入されたコンテンツデータに挿入することで、線分表示追加コンテンツデータを生成する描画手段挿入部と、
前記サーバ装置から送信された線分情報を受信する第１の線分情報受信部と、
前記描画手段挿入部で生成された線分表示追加コンテンツデータに基づいて、前記第１の線分情報受信部で受信された線分情報で示される線分を、前記描画手段要素に含まれているコマンドを用いて、前記描画領域要素で指定された描画領域に描画して、前記コンテンツに、前記第１の線分情報受信部で受信された線分情報で示される線分を重畳した画面データを生成するコンテンツ表示処理部と、
前記コンテンツ表示処理部で生成された画面データに基づいて表示を行なう表示部と、を備えること
を特徴とする情報表示システム。
【請求項２】
前記情報表示システムは、入力装置をさらに備え、
前記入力装置は、
手書き入力を受け付ける入力部と、
前記入力部で受け付けられた手書き入力に含まれる線分を特定する線分入力部と、
前記線分入力部で特定された線分を示す線分情報を取得する線分情報取得部と、
前記線分情報取得部で取得された線分情報を前記サーバ装置に送信する第２の線分情報送信部と、を備え、
前記サーバ装置は、前記入力装置から送信された線分情報を受信する第２の線分情報受信部をさらに備え、
前記第１の線分情報送信部は、前記第２の線分情報受信部で受信された線分情報を、前記表示装置に送信すること
を特徴とする請求項１に記載の情報表示システム。
【請求項３】
前記情報表示システムは、前記表示装置を複数備え、
前記入力装置は、
前記入力部を介して、コンテンツの選択を受け付けるコンテンツ選択部と、
前記コンテンツ選択部において選択を受け付けたコンテンツを選択コンテンツとして前記サーバ装置に通知する選択コンテンツ通知部と、を備え、
前記サーバ装置は、前記選択コンテンツの通知を受ける選択コンテンツ通知受信部をさらに備え、
前記第１の線分情報送信部は、前記第２の線分情報受信部で受信された線分情報を、前記選択コンテンツのコンテンツデータを取得している表示装置に送信すること
を特徴とする請求項２に記載の情報表示システム。
【請求項４】
前記サーバ装置は、前記第２の線分情報受信部で受信された線分情報を記憶する線分情報記憶部をさらに備え、
前記第１の線分情報送信部は、前記線分情報記憶部に記憶されている線分情報を、前記表示装置に送信すること
を特徴とする請求項２又は３に記載の情報表示システム。
【請求項５】
前記表示装置は、前記線分情報の再送要求を送信する線分情報再送要求送信部をさらに備え、
前記サーバ装置は、前記再送要求を受信する線分情報再送要求受信部をさらに備え、
前記第１の線分情報送信部は、前記線分情報再送要求受信部が前記再送要求を受信した場合に、前記線分情報記憶部に記憶されている線分情報を、前記表示装置に送信すること
を特徴とする請求項４に記載の情報表示システム。
【請求項６】
前記線分情報再送要求送信部は、前記コンテンツ取得部が前記コンテンツデータを新たに取得した際に、前記再送要求を送信すること
を特徴とする請求項５に記載の情報表示システム。
【請求項７】
前記線分情報再送要求送信部は、前記線分情報記憶部に記憶されている線分情報の一部を取得できていない場合に、前記再送要求を送信すること
を特徴とする請求項５又は６に記載の情報表示システム。
【請求項８】
前記描画領域要素は、Ｃａｎｖａｓ要素であり、
前記描画手段要素は、線分を描画するためのコマンドを含むスクリプト要素であること
を特徴とする請求項１から７の何れか一項に記載の情報表示システム。
【請求項９】
前記表示装置は、前記第１の線分情報受信部で受信された線分情報で示される線分を前記スクリプト要素に描画させるためのプラグインを生成して、前記コンテンツ表示処理部に与える線分情報通知部をさらに備えること
を特徴とする請求項８に記載の情報表示システム。
【請求項１０】
コンテンツを表示するための、マークアップ言語により記述されたデータであるコンテンツデータを取得するコンテンツ取得部と、
線分を描画するための描画領域を特定する描画領域要素を、前記コンテンツ取得部で取得されたコンテンツデータに挿入する描画領域挿入部と、
線分を描画するためのコマンドを含む描画手段要素を、前記描画領域挿入部で前記描画領域要素が挿入されたコンテンツデータに挿入することで、線分表示追加コンテンツデータを生成する描画手段挿入部と、
線分を示す線分情報を受信する線分情報受信部と、
前記描画手段挿入部で生成された線分表示追加コンテンツデータに基づいて、前記線分情報受信部で受信された線分情報で示される線分を、前記描画手段要素に含まれているコマンドを用いて、前記描画領域要素で指定された描画領域に描画して、前記コンテンツに、前記線分情報受信部で受信された線分情報で示される線分を重畳した画面データを生成するコンテンツ表示処理部と、
前記コンテンツ表示処理部で生成された画面データに基づいて表示を行なう表示部と、を備えること
を特徴とする情報表示装置。
【手続補正２】
【補正対象書類名】明細書
【補正対象項目名】０００９
【補正方法】変更
【補正の内容】
【０００９】
本発明の一態様に係る情報表示システムは、サーバ装置及び表示装置を備える情報表示システムであって、前記サーバ装置は、前記表示装置に表示させる線分を示す線分情報を送信する第１の線分情報送信部を備え、前記表示装置は、コンテンツを表示するための、マークアップ言語により記述されたデータであるコンテンツデータを取得するコンテンツ取得部と、線分を描画する描画領域を指定する描画領域要素を、前記コンテンツ取得部で取得されたコンテンツデータに挿入する描画領域挿入部と、線分を描画するコマンドを含む描画手段要素を、前記描画領域挿入部で前記描画領域要素が挿入されたコンテンツデータに挿入することで、線分表示追加コンテンツデータを生成する描画手段挿入部と、前記サーバ装置から送信された線分情報を受信する第１の線分情報受信部と、前記描画手段挿入部で生成された線分表示追加コンテンツデータに基づいて、前記第１の線分情報受信部で受信された線分情報で示される線分を、前記描画手段要素に含まれているコマンドを用いて、前記描画領域要素で指定された描画領域に描画して、前記コンテンツに、前記第１の線分情報受信部で受信された線分情報で示される線分を重畳した画面データを生成するコンテンツ表示処理部と、前記コンテンツ表示処理部で生成された画面データに基づいて表示を行なう表示部と、を備えることを特徴とする。
【手続補正３】
【補正対象書類名】明細書
【補正対象項目名】００１０
【補正方法】変更
【補正の内容】
【００１０】
本発明の一態様に係る情報表示装置は、コンテンツを表示するための、マークアップ言語により記述されたデータであるコンテンツデータを取得するコンテンツ取得部と、線分を描画するための描画領域を特定する描画領域要素を、前記コンテンツ取得部で取得されたコンテンツデータに挿入する描画領域挿入部と、線分を描画するためのコマンドを含む描画手段要素を、前記描画領域挿入部で前記描画領域要素が挿入されたコンテンツデータに挿入することで、線分表示追加コンテンツデータを生成する描画手段挿入部と、線分を示す線分情報を受信する線分情報受信部と、前記描画手段挿入部で生成された線分表示追加コンテンツデータに基づいて、前記線分情報受信部で受信された線分情報で示される線分を、前記描画手段要素に含まれているコマンドを用いて、前記描画領域要素で指定された描画領域に描画して、前記コンテンツに、前記線分情報受信部で受信された線分情報で示される線分を重畳した画面データを生成するコンテンツ表示処理部と、前記コンテンツ表示処理部で生成された画面データに基づいて表示を行なう表示部と、を備えることを特徴とする。
【手続補正４】
【補正対象書類名】明細書
【補正対象項目名】００６３
【補正方法】変更
【補正の内容】
【００６３】
線分情報受信部２３７は、通信部１４１を介して、入力装置１１０が送信した線分情報を受信する。そして、線分情報受信部２３７は、受信された線分情報を、線分情報記憶部２４２に記憶されている線分蓄積情報２４２ａに格納する。このとき、線分情報受信部２３７は、線分情報を送信してきた入力装置１１０が選択したコンテンツのコンテンツ識別情報を、選択コンテンツ記憶部１３３に記憶されている選択コンテンツ情報１３３ａを参照して特定する。そして、線分情報受信部２３７は、特定されたコンテンツ識別情報を線分蓄積情報２４２ａに格納する。
線分情報送信先特定部２３９は、選択コンテンツ記憶部１３３に記憶されている選択コンテンツ情報１３３ａ及びコンテンツ取得先記憶部１３２に記憶されているコンテンツ取得先情報１３２ａを元に、線分情報記憶部２４２に記憶されている線分蓄積情報２４２ａに格納されている線分情報をどの表示装置２５０に送信するかを特定する。また、線分情報送信先特定部２３９は、線分蓄積情報２４２ａに格納されている線分情報が複数ある場合には、線分情報を結合して、線分情報送信部２４０に与える。
線分情報送信部２４０は、予め定められた時間毎に、線分情報記憶部２４２に記憶されている線分蓄積情報２４２ａを確認して、未送信の線分情報があるか否かを判断する。未送信の線分情報がある場合には、線分情報送信部２４０は、通信部１４１を介して、線分情報送信先特定部２３９が特定した送信先に対して、線分蓄積情報２４２ａに格納されている線分情報を送信する。また、線分情報送信部２４０は、線分情報再送要求受信部２４３が、通信部１４１を介して、線分情報の再送要求を表示装置２５０から受信した場合にも、線分蓄積情報２４２ａに格納されている線分情報をその表示装置２５０に送信する。
線分情報再送要求受信部２４３は、通信部１４１を介して、表示装置２５０から線分情報の再送要求を受信すると、そのような要求を受けた旨を線分情報送信部２４０に通知する。